(57)【要約】【課題】任意の配置が可能な高強度の擁壁を施工できる擁壁の施工方法を提供する。【解決手段】擁壁の施工方法は、溝を掘削し、溝に沿った所定の位置に、縦筋を配置し、縦筋で保持されるように、予め成形された上方に延びる壁面を有するコンクリート製の擁壁３５を載置し、その後、壁面に対してその下部で水平方向に延びる底盤部分を現場でコンクリート４１を打設することによって施工する。【選択図】図１０
2007332735.tif 000002
【特許請求の範囲】
【請求項１】
溝を掘削し、溝に沿った所定の位置に、縦筋を配置し、前記縦筋で保持されるように、予め成形された上方に延びる壁面を有するコンクリート製の擁壁を載置し、その後、前記壁面に対してその下部で水平方向に延びる底盤部分を現場でコンクリートを打設することによって施工する、擁壁の施工方法。
【請求項２】
前記溝の前記所定の位置に杭を設け、前記杭と、前記縦筋とを接続する、請求項１に記載の擁壁の施工方法。
【請求項３】
前記擁壁は、その内部に上下方向に貫通する貫通孔を有し、前記縦筋は前記貫通孔を通る、請求項１または２に記載の擁壁の施工方法。
【請求項４】
前記杭はかんざし筋を有し、前記縦筋はその下部で水平方向に曲げられ、前記縦筋の水平方向に曲げられた部分が前記かんざし筋と接続される、請求項２または３に記載の擁壁の施工方法。
【発明の詳細な説明】
【技術分野】
【０００１】
この発明は、擁壁の施工方法に関し、特に、高品質のＰＣ擁壁を形成できる擁壁の施工方法に関する。
【背景技術】
【０００２】
従来の擁壁の施工方法が、たとえば、下記の特許文献１に開示されている。そこには、Ｌ型のＰＣ（Pre Cast)コンクリートで形成された擁壁が横方向に複数連続して並べられ、連続して隣接する擁壁部材間に透水性の透水壁面を構築する擁壁の施工方法が開示されている。
【特許文献１】特開２００５−３６６４１号公報（要約書）
【発明の開示】
【発明が解決しようとする課題】
【０００３】
従来の高強度の擁壁の施工方法は上記のような行なわれていた。Ｌ型のＰＣ擁壁を使用するため、まっすぐに延びる擁壁については、所定の強度が得られるが、水平に延びる底盤が存在するため、これが重なるような施工ができなかった。したがって、角度をもった擁壁の施工ができないという問題があった。また、Ｌ型であるため、搬送にもスペースを要し、コストがかかるという問題があった。
【０００４】
この発明は、上記のような従来の問題点に鑑みてなされたもので、任意の配置が可能な高強度の擁壁を施工できる擁壁の施工方法を提供することを目的とする。
【課題を解決するための手段】
【０００５】
擁壁の施工方法は、溝を掘削し、溝に沿った所定の位置に、縦筋を配置し、縦筋で保持されるように、予め成形された上方に延びる壁面を有するコンクリート製の擁壁を載置し、その後、壁面に対してその下部で水平方向に延びる底盤部分を現場でコンクリートを打設することによって施工する。
【０００６】
予め成形された上方に延びる壁面を有するコンクリート製の擁壁を載置し、その後、壁面に対してその下部で水平方向に延びる底盤部分を現場でコンクリートを打設することによって施工するようにしたため、擁壁の配列が斜めになっても、Ｌ型の擁壁が傾斜していても、施工が可能になる。
【０００７】
その結果、任意の配置が可能な高強度の擁壁を施工できる擁壁の施工方法を提供できる。
【０００８】
好ましくは、溝の所定の位置に杭を設け、杭と、縦筋とを接続する。
【０００９】
さらに好ましくは、擁壁は、その内部に上下方向に貫通する貫通孔を有し、縦筋は貫通孔を通る。
【００１０】
さらに、杭はかんざし筋を有し、縦筋はその下部で水平方向に曲げられ、縦筋の水平方向に曲げられた部分がかんざし筋と接続されるのが好ましい。
【発明を実施するための最良の形態】
【００１１】
以下、この発明の擁壁の施工方法の実施の形態を図面に基づいて説明する。図１〜図６は、この発明の一実施の形態にかかる擁壁の施工方法の施工手順を示す図である。
【００１２】
ここでは、図１に示すように、隣地の地面（ＧＬ）より斜めに立ち上がった法面（図中現況線で示す）１１を取り去って、そこにＰＣ（Pre Cast)コンクリート製の擁壁（以下、「ＰＣ擁壁」という）を設ける場合について説明する。まず、擁壁を建造する法面１１を取り去って、そこに、例えば、深さ約２００〜４００ｍｍ程度の溝１２を掘削する。溝１２は、隣地境界側の壁部１２ｂと、敷地内側の壁部１２ａと、底隣地境界側および敷地内の壁部１２ａと１２ｂとの下部とを結ぶ底盤１３とからなる。
【００１３】
次に図２に示すように、底盤１３を転圧した後に、捨てコンクリート１４を打ち、溝１２の壁部１２ａ側に杭頭補強用の穴１５を掘削する。なお、捨てコンクリート１４が硬化後にＰＣ擁壁の割付を行うための地墨を打つ。
【００１４】
次に、図３に示すように、穴１５の内部に、鋼管杭２１を打ち込む。鋼管杭２１を図８に示す。図８を参照して、鋼管杭２１は、上部に開口２１ａを有し、その中央部に図示のない金具が設けられる。上部の近傍にはかんざし筋２４が設けられている。かんざし筋２４は複数設けても良い。また、下端部２１ｂは尖塔型を有している。このように配置された鋼管杭２１の内部に、金具によって保持して後に説明する鉄筋を挿入し、流動性のよいモルタルまたはグラウト剤を充填して、鉄筋と鋼管杭とを一体化する。
【００１５】
上記の割付にしたがって、ＰＣ擁壁の位置決めを行うための縦筋２２を所定の位置に設ける。縦筋２２は、垂直方向に延びる垂直部分２２ａと、下端部の捨てコンクリート１４の上部で水平方向に曲げられた水平部２２ｂとからなる。水平部２２ｂは鋼管杭２１の方向に延び、縦筋２２の水平部２２ｂの端部は鋼管杭２１のかんざし筋２４に接続されている。なお、この縦筋２２の水平部２２ｂの端部は鋼管杭２１を貫通させてもよい。
【００１６】
鋼管杭２１の内部には鉄筋２３が設けられている。この鉄筋２３は、鋼管杭２１の上端部で水平方向に曲げられた水平部２３ａを含む。水平部２３ａの先端部は、縦筋２２の垂直部２２ａまで延在して、垂直部２２ａに接続される。この水平部２３ａの先端部も、縦筋２２の垂直部２２ａを越えて延在してもよい。
【００１７】
縦筋２２の水平部２２ｂと鉄筋２３の水平部２３ａには溝方向に延在する横筋２５ａ〜２５ｄ、および２６ａ〜２６ｄが設けられている。
【００１８】
次に、図４に示すように、縦筋２２の垂直部２２ａにＰＣ擁壁３０の貫通孔３１を通すことによって、予め成形された上方に延びる壁面を有するコンクリート製の擁壁（ＰＣ擁壁）３０を据え付ける。そして、ＰＣ擁壁３０の貫通孔３１にグラウト剤を充填して縦筋２２とＰＣ擁壁３０とを一体化する。なお、ＰＣ擁壁３０の貫通孔３１の下部には、横方向に開口部３２が設けられており、この開口部３２を通って水平部２２ｂや２３ａの鉄筋が通過する。また、後に説明するように、ＰＣ擁壁３０の正面側には化粧が施され、背面側には化粧は施されていない。
【００１９】
次に、図５に示すように、穴１５の内部においてＰＣ擁壁３０の下部にＬ型の底盤部分としてコンクリート４１を打設する。
【００２０】
この後、図６に示すように、コンクリート４１の上に土４３を埋め戻す。なお、このとき、ＰＣ擁壁３０の土４３を埋め戻す側には、栗石、または、不織布４２を設け、透水性を保持する。
【００２１】
次に、図１から図６のようにして施工された複数のＰＣ擁壁３０からなる擁壁について説明する。図７は、ＰＣ擁壁３０を複数連続して配置したときの状態を示す図である。図７（Ａ）は平面図であり、図７（Ｂ）は図７（Ａ）において矢印Ｂ−Ｂで示す部分の矢視図（正面図）であり、図７（Ｃ）は図７（Ａ）において矢印Ｃ−Ｃで示す部分の矢視図（背面図）である。なお、図７においては、土や、コンクリート等については図示を省略している。図７（Ｃ）においては、ＰＣ擁壁３０の貫通孔３１の内部に設けられる縦筋２２ａのみを表示している。
【００２２】
図７を参照して、ＰＣ擁壁３０の正面には化粧が施されており、中央部には、上下方向に貫通する４つの貫通孔３１が設けられている。ＰＣ擁壁３０の貫通孔３１の下端部には、開口部３２が設けられており、上記したように、この開口部３２を通って水平部２２ｂや２３ａの鉄筋が通過している。複数のＰＣ擁壁３０は、その間を水抜きが可能な、砂利をバインダで固めた透水性の接続部３４で接続する。なお、この接続部３４の寸法を調整することによって、ＰＣ擁壁全体の長さを調整することができる。
【００２３】
図９は、この接続部３４の変形例を示す図である。（Ａ）は、正面部が背面部よりも狭くなった接続部３４ａを示す図であり、（Ｂ）は、中央部が広がった接続部３４ｂを示す図である。このように接続部を形成することにより、土圧で接続部が押し出されるのを防ぐことができる。
【００２４】
以上のように、この実施の形態によれば、ＰＣ擁壁３０のＬ型の下部を現場でコンクリートを打設することによって形成するようにしたため、現場へのＰＣ擁壁の搬送や、現場での据付を容易に行えるため、高品質のＬ型のＰＣ擁壁を、容易に建造することができる。
【００２５】
図１０は、この発明の他の実施の形態を示す図７に対応する図である。ここでは、ＰＣ擁壁のＬ型の下部コンクリート４１も示している。この実施の形態においては、Ｌ型の下部コンクリート４１を現場で打設することによって形成するようにしたため、図に示すように、途中で折れ曲がったＰＣ擁壁３５ａ〜３５ｄも容易に建造できる。なお、この場合も接続部３６は図９に示したものと同じである。
【００２６】
次に、この発明のさらに他の実施の形態について説明する。この実施の形態においては、ＰＣ擁壁３０の直下にも鋼管杭を設ける。図１１は、この実施の形態を示す図であり、先の実施の形態における、図４に対応する。
【００２７】
図１１を参照して、この実施の形態においては、ＰＣ擁壁３０の直下においても穴１５ｂを設け、その内部に鋼管杭２７を設けている。この鋼管杭２７も図８同様の構成を有している。この実施の形態においては、鋼管杭２７に設けられた鉄筋の水平部２３ｂは鋼管杭２１の方向へ延び、鋼管杭２１の鉄筋２３を支持する横筋２６ｂ，２６ｃと接続される。それ以外の部分については、先の実施の形態と同様であるので、同一部分に同一符号を付してその説明は省略する。
【００２８】
この実施の形態によれば、Ｌ型のＰＣ擁壁が複数の鋼管杭によって支持されるとともに、底盤部分がさらに補強されるため、強度の高いＬ型ＰＣ擁壁が得られる。
【００２９】
なお、上記実施の形態においては、Ｌ型のＰＣ擁壁を杭で支持する場合について説明したが、これに限らず、杭は設けなくてもよい。
【００３０】
また、上記実施の形態においては、コンクリートの底盤部分の寸法や、杭頭補強の穴の径等について具体的に述べなかったが、これらは、地盤の許容応力度に応じて調整できる。
【００３１】
また、上記実施の形態においては、Ｌ型のＰＣ擁壁の擁壁は垂直方向に延在する場合について説明したが、Ｌ型擁壁の底盤部を現場施工するようにしたため、傾斜した擁壁の施工も可能である。
【００３２】
また、上記実施の形態においては、Ｌ型のＰＣ擁壁の一方面のみが化粧され、他方は化粧されていない場合について説明したが、これに限らず、両面が化粧された壁の施工に適用してもよい。
【００３３】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【００３４】
【図１】この発明の一実施の形態にかかる、ＰＣ擁壁の施工手順を示す図である。
【図２】この発明の一実施の形態にかかる、ＰＣ擁壁の施工手順を示す図である。
【図３】この発明の一実施の形態にかかる、ＰＣ擁壁の施工手順を示す図である。
【図４】この発明の一実施の形態にかかる、ＰＣ擁壁の施工手順を示す図である。
【図５】この発明の一実施の形態にかかる、ＰＣ擁壁の施工手順を示す図である。
【図６】この発明の一実施の形態にかかる、ＰＣ擁壁の施工手順を示す図である。
【図７】ＰＣ擁壁を示す図である。
【図８】鋼管杭を示す図である。
【図９】接続部を示す図である。
【図１０】この発明の他の実施の形態を示す図である。
【図１１】この発明のさらに他の実施の形態を示す図である。
【符号の説明】
【００３５】
１１  法面、１２  溝、１３  底盤、１４  捨てコンクリート、１５  穴、２１  鋼管杭、２２  縦筋、２３  鉄筋、２４  かんざし筋、２５，２６  横筋、３０  ＰＣ擁壁、３２  開口部、４１コンクリート。
【図１】
2007332735.tif 000003
【図２】
2007332735.tif 000004
【図３】
2007332735.tif 000005
【図４】
2007332735.tif 000006
【図５】
2007332735.tif 000007
【図６】
2007332735.tif 000008
【図７】
2007332735.tif 000009
【図８】
2007332735.tif 000010
【図９】
2007332735.tif 000011
【図１０】
2007332735.tif 000012
【図１１】
2007332735.tif 000013